(57)【要約】  本発明は、インプラント用アバットメントに関し、より具体的には、閉じた接着部において溝を形成することを通してフィクスチャーとのシーリングを改善することができるインプラント用アバットメントに関する。本発明の一つの態様に係るインプラント用アバットメントは、スクリュー部と、閉じた接着部と、頭部とを具備する。スクリューのネジは、スクリューによって結合されるべきフィクスチャー内にアバットメントが挿入されることを可能とするように、スクリュー部において形成される。閉じた接着部は、フィクスチャーのテーパー部に接触すべくフィクスチャーのテーパー部内に挿入されるようにスクリュー部の上部においてテーパー状にされる。頭部は、補綴物の結合を可能とすべく、閉じた接着部の上部において形成される。特に、この場合、閉じた接着部はフィクスチャーのテーパー部との閉じた接着性を強化すべく複数の溝を有し、複数の溝は、フィクスチャーのテーパー部と接触する領域において周方向に沿って形成される。本発明によれば、閉じた接着部において形成された溝を有するアバットメントを提供することによってフィクスチャーで締結する場合、閉じた接着部の局部が溝に変形される。このため、アバットメントとフィクスチャーとの間の閉じた接着性を増大させることによって、シーリング効果を改善することができる。
2013517046.tif 000002
【特許請求の範囲】
【請求項１】
インプラント用アバットメントであって、
スクリューによって結合されるべきフィクスチャー内に挿入されるスクリューネジを有するスクリュー部と、
前記フィクスチャーのテーパー部に接触すべく該フィクスチャーのテーパー部内に挿入されるように前記スクリュー部の上部においてテーパー状にされた接触部と、
補綴物の結合を可能とすべく前記接触部の上部において形成された頭部と
を備え、
前記接触部が前記フィクスチャーのテーパー部との接着性を強化すべく複数の溝を有し、該複数の溝が、前記フィクスチャーのテーパー部に接触する領域において周方向に沿って形成される、インプラント用アバットメント。
【請求項２】
インプラント用アバットメントであって、
フィクスチャー内に挿入されるように形成されて、前記フィクスチャーに対する回転を防止する回転防止部と、
前記フィクスチャーのテーパー部に接触すべく該フィクスチャーのテーパー部内に挿入されるように前記回転防止部の上部においてテーパー状にされた接触部と、
補綴物の結合を可能とすべく前記接触部の上部において形成された頭部と
を備え、
前記接触部が前記フィクスチャーのテーパー部との接着性を強化すべく複数の溝を有し、該複数の溝が、前記フィクスチャーのテーパー部に接触する領域において周方向に沿って形成される、インプラント用アバットメント。
【請求項３】
前記接触部が、前記フィクスチャーに接触する領域を突出させるように、前記溝を有し且つ突起部を形成する、請求項１又は２に記載のアバットメント。
【発明の詳細な説明】
【技術分野】
【０００１】
本発明はインプラント用アバットメントに関する。より具体的には、本発明は、接触部において溝を形成することを通してフィクスチャーとのシーリングを改良することができるインプラント用アバットメントに関する。
【背景技術】
【０００２】
歯科インプラントとは人工歯構造を指し、人工歯構造は、一つの喪失歯又は一群の喪失歯に取って代わるために所定の領域内に人工歯根を埋め込み、歯槽骨内に人工歯根を締結し、且つ補綴物（prosthesis）又はクラウンを人工歯根に取り付けることによって形成される。歯科インプラントとは、人工歯構造を形成すべく上述されたステップを含む歯科処置も指す。概して、インプラントは、チタン製のフィクスチャーと、フィクスチャーに締結された１ピースタイプのアバットメントと、アバットメントに取り付けられる人工歯としての補綴物とを具備する。１ピースタイプのアバットメントを使用する代わりに、インプラントは２ピースタイプのアバットメントを用いてもよく、２ピースタイプのアバットメントは、アバットメントをフィクスチャー内に締結するアバットメントスクリューを具備する。構造がどんなものであろうと、用いられるアバットメントは、フィクスチャー内に堅く取り付けられ、且つ、修復歯が咀嚼力を受けるときでさえフィクスチャーに対して隙間を生み出すことなくアバットメントの元の機能を維持すべきである。
【０００３】
図９は従来技術のフィクスチャー及びアバットメントの組立構造体である。概して、フィクスチャー１の係合部５とアバットメント３とはテーパー構造を形成する。テーパー構造は、二つの部品間の係合範囲を増大させ且つ二つの部品の係合のときに隙間を取り除くことによって、力を受けたときに十分な耐久性を提供することを実行するための最も容易な方法であるので、使用されてきた。
【発明の概要】
【発明が解決しようとする課題】
【０００４】
テーパー係合の場合、二つの異なる表面が接合される。二つの表面が互いに接合されるとき、完全な表面を製造することが実際には不可能であるので、接触面間に隙間が生み出されるという問題が常に存在する。したがって、隙間が係合ステップのときから既に生み出された状態で補綴物が適用されるという従来技術に固有の弱点が存在する。
【０００５】
上記問題を解決することを目的として、本発明がなされた。すなわち、本発明は、フィクスターとの係合を完全なものにすることによってシーリング効果を改良することができるアバットメントを提供する。
【課題を解決するための手段】
【０００６】
本発明の一つの態様に係るインプラント用アバットメントは、スクリュー部と、接触部と、頭部とを具備する。スクリューのネジは、スクリューによって結合されるべきフィクスチャー内にアバットメントが挿入されることを可能とするようにスクリュー部において形成される。接触部は、フィクスチャーのテーパー部に接触すべくフィクスチャーのテーパー部内に挿入されるようにスクリュー部の上部においてテーパー状にされる。頭部は補綴物の結合を可能とすべく接触部の上部において形成される。特に、この場合、接触部はフィクスチャーのテーパー部との接着性を強化すべく複数の溝を有し、複数の溝は、フィクスチャーのテーパー部と接触する領域において周方向に沿って形成される。
【０００７】
本発明の一つの態様に係るインプラント用アバットメントは、回転防止部と、接触部と、頭部とを具備する。回転防止部はフィクスチャー内に挿入されるように形成され且つフィクスチャーに対する回転を防止する。接触部は、フィクスチャーのテーパー部に接触すべくフィクスチャーのテーパー部内に挿入されるように回転防止部の上部においてテーパー状にされる。頭部は補綴物の結合を可能とすべく接触部の上部において形成される。特に、この場合、接触部はフィクスチャーのテーパー部との接着性を強化すべく複数の溝を有し、複数の溝は、フィクスチャーのテーパー部と接触する領域において周方向に沿って形成される。
【０００８】
加えて、インプラント用アバットメントについて、フィクスチャーに接触する接触部の範囲が突出することを可能とすべく、接触部が溝を有し且つ突起部を形成することが好ましい。
【０００９】
本発明によれば、接触部において形成された溝を有するアバットメントを提供することによってフィクスチャーで締結する場合、接触部の局部が溝に変形される。このため、アバットメントとフィクスチャーとの間の接着性を増大させることによって、シーリング効果を改善することができる。
【００１０】
加えて、本発明によれば、溝がアバットメントの接触部において形成され、且つ、フィクスチャーに接触する接触部の範囲が突起部を形成するので、アバットメントとフィクスチャーとの間の接着性を更に増大させることによって、シーリング効果を最大にすることができる。
【図面の簡単な説明】
【００１１】
【図１】図１は、本発明に係るアバットメントの一つの実施形態の斜視図である。
【図２】図２は、図１において示された一つの実施形態の断面図である。
【図３】図３は、図１において示されたアバットメントとフィクスチャーとの間の係合部の正面図である。
【図４】図４は、図３において示された一つの実施形態の断面図である。
【図５】図５は、本発明に係るアバットメントの別の実施形態の断面図である。
【図６】図６は、図５において示されたアバットメントとフィクスチャーとの間の係合部の断面図である。
【図７】図７は、本発明に係るアバットメントの更に別の実施形態の斜視図である。
【図８】図８は、本発明に係るアバットメントの更に別の実施形態の断面図である。
【図９】図９は、従来技術におけるアバットメントとフィクスチャーとの係合部の断面図である。
【発明を実施するための形態】
【００１２】
この文書の更なる理解を提供するために含められ且つ本明細書に包含されて本明細書の一部を構成する添付の図面は、この文書の実施形態を示し且つ説明と共に本発明の原理を説明するのに役立つ。以下、本発明に係るアバットメントの一つの実施形態が図１〜４を参照して記述される。
【００１３】
図１〜４において示されるアバットメントは１ピースタイプのアバットメントに対応する。本発明に係るアバットメントはスクリュー部１１と接触部１３と頭部１５とを具備する。
【００１４】
スクリューのネジが、スクリューによって結合されるべきフィクスチャー内にアバットメントが挿入されることを可能とするように、スクリュー部において形成される。接触部１３は、フィクスチャー１のテーパー部２と接触すべくフィクスチャー１のテーパー部２内に挿入されるように、スクリュー部１１の上部においてテーパー状にされる。このとき、接触部１３はフィクスチャー１のテーパー部２との接着性を強化すべく複数の溝１４を有し、複数の溝１４は、フィクスチャー１のテーパー部２と接触する領域において周方向に沿って形成される。頭部１５は、補綴物の結合を可能とすべく接触部１３の上部において形成される。
【００１５】
アバットメント１０は、フィクスチャー１と接触する接触部１３において複数の溝１４を有する。図４において示されるように、接触部１３の局部が、フィクスチャー１とアバットメント１０とを係合させるときに締結力によって変形される。このとき、変形は、接触部１３の側部において形成された溝において生み出され、このことによってフィクスチャー１とアバットメント１０との間の接着性が増大される。このため、アバットメント１０とフィクスチャー１とは完全にシールされる。
【００１６】
本発明に係るアバットメントの別の実施形態が図５及び６を参照して記述される。
【００１７】
図１のアバットメントとは異なり、図５において示されるアバットメントの接触部１３は突起部１６を形成する。このとき、溝１４は、フィクスチャー１と接触する接触部１３の範囲が突起部１６を形成すべく突出するように、接触部１３において形成される。言い換えれば、接触部１３は、頭部１５においてテーパー状にされ、且つ、フィクスチャー１に接触する範囲が突出しその後再びテーパー状にされることを可能とすべく突起部１６を形成する。一方、溝１４は、フィクスチャー１に接触する範囲において形成される。上述されたように、フィクスチャー１とアバットメント１０との間の接着性は、溝１４を有する領域が、突起部が形成されるように突出する場合、更に増大されることができる。
【００１８】
本発明に係るアバットメントの更に別の実施形態が図７を参照して記述される。図７において示されたアバットメントは２ピースタイプのアバットメントである。本発明に係るアバットメント２０が回転防止部２１と接触部２３と頭部２５とを具備する。回転防止部２１は、フィクスチャー内に挿入されるように形成されて、フィクスチャーに対する回転を防止する。接触部２３は、フィクスチャーのテーパー部に接触すべくフィクスチャーのテーパー部内に挿入されるように回転防止部２１の上部においてテーパー状にされる。特に、この場合、接触部２３はフィクスチャーのテーパー部との接着性を強化すべく複数の溝２４を有し、複数の溝２４は、フィクスチャーのテーパー部に接触する領域において周方向に沿って形成される。頭部２５は補綴物の結合を可能とすべく接触部の上部において形成される。アバットメントスクリュー（図示せず）が、アバットメント２０内に挿入されて、アバットメント２０をフィクスチャーと係合させる。図１の実施形態と同一の態様において、アバットメント２０の接触部２３において形成された溝２４はフィクスチャーとの係合のときに接着性を増大させる。
【００１９】
図８は、本発明に係るアバットメントの更に別の実施形態である。図５及び６は、図１の実施形態とは異なり、突起部が接触部において形成される場合に対応する。図８の実施形態は、突起部が図７の実施形態の接触部において形成される場合を示す。言い換えれば、図８のアバットメントの接触部２３は、フィクスチャーに接触する範囲が突出することを可能とすべく、溝２４を有し且つ突起部２６を形成する。この場合、フィクスチャーとアバットメントとの間の接着性を更に増大させることができる。
【図１】
2013517046.tif 000003
【図２】
2013517046.tif 000004
【図３】
2013517046.tif 000005
【図４】
2013517046.tif 000006
【図５】
2013517046.tif 000007
【図６】
2013517046.tif 000008
【図７】
2013517046.tif 000009
【図８】
2013517046.tif 000010
【図９】
2013517046.tif 000011
【手続補正書】
【提出日】平成24年7月17日(2012.7.17)
【手続補正１】
【補正対象書類名】特許請求の範囲
【補正対象項目名】全文
【補正方法】変更
【補正の内容】
【特許請求の範囲】
【請求項１】
インプラント用アバットメントであって、
スクリューによって結合されるべきフィクスチャー内に挿入されるスクリューネジを有するスクリュー部と、
前記フィクスチャーのテーパー部に接触すべく該フィクスチャーのテーパー部内に挿入されるように前記スクリュー部の上部においてテーパー状にされた、閉じた接着部と、
補綴物の結合を可能とすべく前記閉じた接着部の上部において形成された頭部と
を備え、
前記閉じた接着部が前記フィクスチャーのテーパー部との閉じた接着性を強化すべく複数の溝を一定間隔で有し、該複数の溝が、前記閉じた接着部の変形によって前記フィクスチャーのテーパー部との接触範囲を増大させることができるように、前記フィクスチャーのテーパー部に接触する領域において周方向に沿って形成される、インプラント用アバットメント。
【請求項２】
インプラント用アバットメントであって、
フィクスチャー内に挿入されるように形成されて、前記フィクスチャーに対する回転を防止する回転防止部と、
前記フィクスチャーのテーパー部に接触すべく該フィクスチャーのテーパー部内に挿入されるように前記回転防止部の上部においてテーパー状にされた、閉じた接着部と、
補綴物の結合を可能とすべく前記閉じた接着部の上部において形成された頭部と
を備え、
前記閉じた接着部が前記フィクスチャーのテーパー部との閉じた接着性を強化すべく複数の溝を一定間隔で有し、該複数の溝が、前記閉じた接着部の変形によって前記フィクスチャーのテーパー部との接触範囲を増大させることができるように、前記フィクスチャーのテーパー部に接触する領域において周方向に沿って形成される、インプラント用アバットメント。
【国際調査報告】
2013517046.tif 000012
2013517046.tif 000013
2013517046.tif 000014
2013517046.tif 000015